(57)【特許請求の範囲】
【請求項１】
ワイヤレスネットワークにおける多入力多出力(MIMO)を使用して通信するための方法であって、
MIMOにおける複数のアップリンクストリームに関係する1つまたは複数のスケジューリング許可をノードBから受信するステップと、
前記複数のアップリンクストリームの一次ストリームに関する一次送信電力および一次トランスポートブロックサイズ(TBS)を判定するステップと、
前記複数のアップリンクストリームの二次ストリームに関する二次送信電力および二次TBSを判定するステップと、
前記1つまたは複数のスケジューリング許可に基づいて、前記複数のアップリンクストリームの構成で送信するための拡張トランスポートフォーマット組合せ(E-TFC)を選択するステップと
を含み、前記E-TFCは、前記複数のアップリンクストリームの複数の考えられるペイロードがそれぞれサポートされるか、または前記構成においてブロックされるかを示す関連状態セットを有し、前記一次TBSおよび前記二次TBSを前記判定するステップは、前記関連状態セットに部分的に基づき、
前記関連状態セットは、
前記一次ストリームと前記二次ストリームの両方が送信されるときに、前記一次ストリームで前記E-TFCがサポートされるかどうかを示す第1の状態と、
前記二次ストリームで前記E-TFCがサポートされるかどうかを示す第2の状態と
前記一次ストリームのみが送信されるときに、前記一次ストリームで前記E-TFCがサポートされるかどうかを示す第3の状態と
を含む、
方法。
【請求項２】
前記二次ストリームが送信されない場合に、前記二次ストリームに割り振られた電力が前記一次ストリームによって使用可能であるか、または、前記二次ストリームに割り振られた電力が前記一次ストリームによって使用可能でない、請求項1に記載の方法。
【請求項３】
データを前記一次ストリームで送信すること、および前記二次ストリームで送信しないことを決定するステップをさらに含み、前記関連状態セットは、前記二次ストリームがブロックされることを示す、請求項1に記載の方法。
【請求項４】
前記関連状態セットは、前記二次TBSが前記二次ストリームに関する最小二次TBSよりも小さいとの判定に基づいて、前記二次ストリームがブロックされることを示すか、または、
前記一次ストリームのパイロット電力に対するオフセットである電力で前記二次ストリームに関する二次パイロットを送信するステップをさらに含む、
請求項3に記載の方法。
【請求項５】
前記一次ストリームに関する最小E-TFCセットを維持するステップをさらに含み、前記最小E-TFCセットにおける前記E-TFCのすべてがサポートされる、請求項1に記載の方法。
【請求項６】
ハイブリッド自動再送/要求(HARQ)インデックスk+nで前記二次ストリームに関するデータを再送信するステップをさらに含み、kは前記一次ストリームに関するHARQインデックスであり、nは利用可能なHARQプロセスの数である、請求項1に記載の方法。
【請求項７】
前記一次ストリームに関する前記データを前記再送信するステップは、前記一次ストリームに関して判定された元の前記TBSと同じTBSを使用する、請求項6に記載の方法。
【請求項８】
前記一次ストリームで新しいデータを送信する一方で、前記二次ストリームに関する前記データを再送信するステップであって、前記二次ストリームに関する前記データを前記再送信するステップは、同じ二次TBSを使用するステップ、または、
前記再送信に基づいて、少なくとも前記二次ストリームに関してスケジュールされた許可を更新するステップ、または、
前記一次ストリームおよび前記二次ストリームに関するハイブリッド自動再送/要求(HARQ)処理を適用するステップ、または、
HARQインデックスk+nで再送信された前記データに関係する前記一次ストリームに関する一次サービング許可更新、およびHARQインデックスkで再送信された他のデータに関係する前記二次ストリームに関する二次サービング許可更新を受信するステップと、
前記二次ストリームは最小TBSよりも小さいと判定するステップと、
前記二次ストリームにゼロ許可を適用するステップと
をさらに含む、請求項6に記載の方法。
【請求項９】
前記一次ストリームおよび前記二次ストリームにわたって、スケジュールされていない許可を適用するステップをさらに含む、請求項1に記載の方法。
【請求項１０】
前記適用するステップは、前記一次TBSを上限として前記スケジュールされていない許可の一部分を、前記スケジュールされていない許可の残存部分を前記二次ストリームに割り振る前に、前記一次ストリームに割り振るステップを含む、請求項9に記載の方法。
【請求項１１】
前記一次ストリームに関する前記一次送信電力を前記判定することは、前記スケジュールされていない許可の前記一部分に基づき、前記二次ストリームに関する前記二次送信電力を前記判定することは、前記スケジュールされていない許可の前記残存部分に基づく、請求項10に記載の方法。
【請求項１２】
前記一次ストリームでデータを送信することを決定し、前記二次ストリームに同じ電力を適用するステップと、
前記一次ストリームで電力スケーリングを実施するステップと
をさらに含む、請求項1に記載の方法。
【請求項１３】
前記一次ストリームおよび前記二次ストリームでデータを送信することを決定するステップと、
前記一次ストリームおよび前記二次ストリームの各々に関する電力ニーズを計算するステップと、
前記計算された電力ニーズに基づいて電力スケーリングを実施するステップとをさらに含む、
請求項12に記載の方法。
【請求項１４】
再送信を実行している前記一次ストリームまたは前記二次ストリームのうちの1つに優先権を与えるステップをさらに含むか、または、
前記一次ストリームおよび前記二次ストリームに同等の優先権を与えるステップをさらに含むか、または、
前記一次ストリームでの再送信のトラフィック対パイロット比(T2P)/TBSおよび前記一次ストリームでの関連スケジューリング許可のT2P/TBSのうちの少なくとも1つに基づいて、前記一次ストリームと前記二次ストリームの両方に関する電力ニーズを計算するステップをさらに含む、
請求項13に記載の方法。
【請求項１５】
電力スケーリングを実施するステップは、前記一次ストリームまたは前記二次ストリームのうち大きい方の電力に基づく、請求項13に記載の方法。
【請求項１６】
前記電力スケーリングを実施するステップは、
再送信の場合または関連スケジューリング許可の場合にトラフィック対パイロット比(T2P)/TBSに基づいて、前記一次ストリームに関する電力スケーリングを計算するステップと、
新しい送信の場合に前記スケジューリング許可のT2P/TBSに基づいて、または再送信の場合に前記データが始まったときの以前の電力もしくは以前のスケジューリング許可に基づいて、前記二次ストリームに関する電力を計算するステップと、
前記一次ストリームに関する前記計算された電力スケーリングおよび前記二次ストリームの前記計算された電力スケーリングのうちの最大値を、両方のストリームに関する前記電力スケーリングとして選択するステップと
を含む、請求項15に記載の方法。
【請求項１７】
ワイヤレスネットワークにおける多入力多出力(MIMO)を使用して通信するためのコンピュータ可読記録媒体であって、請求項1乃至16の何れか1項に記載の方法の諸ステップを実施するように構成されたコードを含む、コンピュータ可読記録媒体。
【請求項１８】
ワイヤレスネットワークにおける多入力多出力(MIMO)を使用して通信するための装置であって、請求項1乃至16の何れか1項に記載の方法の諸ステップを実施するように構成された少なくとも1つのプロセッサを含む、装置。
【発明の詳細な説明】
【技術分野】
【０００１】
米国特許法第119条に基づく優先権の主張
本特許出願は、各々が本出願の譲受人に譲渡され、参照により明白に本明細書に組み込まれる以下の仮特許出願の優先権を主張する。
2012年2月8日に出願された「Method and Apparatus for Managing Uplink Multiple-Input Multiple-Output at a Media Access Control Layer」と題する米国仮出願第61/596,682号、
2012年3月19日に出願された「Signaling Grants, E-TFC Selection and Power Scaling for UL MIMO」と題する米国仮出願第61/612,541号、および
2012年5月11日に出願された「E-TFC Selection and Serving Grant Interpretation for UL Multiple-Input Multiple-Output (MIMO)」と題する米国仮出願第61/646,241号。
【０００２】
同時係属特許出願の参照
本特許出願は、以下の同時係属米国特許出願に関する。
本明細書と同時に出願され、本出願の譲受人に譲渡され、参照により明白に本明細書に組み込まれる、代理人整理番号121364U1を有する「Method and Apparatus for Scheduling Resources for Uplink MIMO Communication」、および
本明細書と同時に出願され、本出願の譲受人に譲渡され、参照により明白に本明細書に組み込まれる、代理人整理番号121364U3を有する「Method and Apparatus for Enhancing Resource Allocation for Uplink MIMO Communication」。
【０００３】
本開示の態様は、一般に、ワイヤレス通信システムに関し、より詳細には、アップリンク多入力多出力(MIMO)に関する。
【背景技術】
【０００４】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS Terrestrial Radio Access Network(UTRAN)である。UTRANは、第3世代パートナーシッププロジェクト(3GPP)によってサポートされる第3世代(3G)モバイルフォン技術である、Universal Mobile Telecommunications System(UMTS)の一部として定義される無線アクセスネットワーク(RAN)である。UMTSは、Global System for Mobile Communications(GSM（登録商標）)技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような拡張3Gデータ通信プロトコルもサポートする。
【０００５】
一般的に、ワイヤレス多元接続通信システムは、複数のユーザ機器デバイス(UE)向けの通信を同時にサポートすることができる。各UEは、順方向リンクおよび逆方向リンクでの伝送によって、ノードBなどの1つまたは複数の基地局と通信する。順方向リンク(またはダウンリンク)はノードBからUEまでの通信リンクを指し、逆方向リンク(またはアップリンク)はUEからノードBまでの通信リンクを指す。この通信リンクは、単入力単出力、多入力単出力、または多入力多出力(MIMO)システムを介して確立され得る。したがって、たとえば、システムはダウンリンクおよび/またはアップリンクMIMOを利用して、スループット、送信の信頼性、通信距離などの改善を促進することができる。
【発明の概要】
【課題を解決するための手段】
【０００６】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００７】
本明細書では、アップリンク多入力多出力(MIMO)の考慮事項に関する様々な考慮事項が提示される。本明細書では、たとえば、ユーザ機器(UE)に複数のアップリンクストリームを提供するかどうかの判定、複数のストリームに関する拡張トランスポートフォーマット組合せ(E-TFC:enhanced transport format combination)の判定、複数のストリームに関する電力スケーリングおよびトランスポートブロックサイズ(TBS)の選択、外部ループ電力制御、および他の考慮事項のための機構を扱う。
【０００８】
一態様では、本明細書では、ワイヤレスネットワークにおける多入力多出力(MIMO)を使用して通信するための方法について説明する。本方法は、MIMOにおける複数のアップリンクストリームに関係する1つまたは複数のスケジューリング許可をノードBから受信するステップと、複数のアップリンクストリームの一次ストリームに関する一次送信電力および一次トランスポートブロックサイズ(TBS)を判定するステップと、複数のアップリンクストリームの二次ストリームに関する二次送信電力および二次TBSを判定するステップとを含む。
【０００９】
他の態様は、上述の方法をコンピュータに実行させるように動作可能な少なくとも1つの命令を含むコンピュータ可読記録媒体を有するコンピュータプログラム製品、上述の方法を実行するための1つまたは複数の手段を含む装置、および上述の方法を実行するように構成されたプロセッサと通信するメモリを有する装置のうちの1つまたは複数を含む。
【００１０】
本開示のこれらの態様および他の態様は、以下の発明を実施するための形態を概観することによってより完全に理解されるであろう。
【００１１】
開示される態様を限定するためではなく例示するために与えられる添付の図面とともに、開示される態様が以下で説明され、同様の記号表示は同様の要素を示している。
【図面の簡単な説明】
【００１２】
【図１】ユーザ機器への複数のアップリンクストリームをスケジュールするためのシステムの一態様の概略ブロック図である。
【図２】図1のシステムの方法の一態様のフローチャートである。
【図３】図1のシステムの方法の一態様のフローチャートである。
【図４】図1のシステムの方法の一態様のフローチャートである。
【図５】処理システムを使用する図1の装置のハードウェア実装の一例を示すブロック図である。
【図６】図1のシステムの態様を含む電気通信システムの一例を概念的に示すブロック図である。
【図７】図1のシステムの態様を含むアクセスネットワークの一例を示す概念図である。
【図８】図1のシステムの構成要素によって実装されるユーザプレーンおよび制御プレーンの無線プロトコルアーキテクチャの一例を示す概念図である。
【図９】図1のシステムの態様を含む、電気通信システムにおいてUEと通信しているノードBの一例を概念的に示すブロック図である。
【発明を実施するための形態】
【００１３】
添付の図面に関する下記の詳細な説明は、様々な構成の説明として意図されており、本明細書で説明される概念が実行され得る唯一の構成を表すように意図されているわけではない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１４】
本明細書では、ワイヤレスネットワークにおけるアップリンク多入力多出力(MIMO)通信を改善することに関する様々な態様について説明する。ユーザ機器(UE)に複数のアップリンクストリームを割り振るかどうかの判定、ストリームに関する拡張トランスポートフォーマット組合せ(E-TFC)の判定、複数のストリームに関する電力スケーリングおよびトランスポートブロックサイズ(TBS)の選択、外部ループ電力制御、および類似の考慮事項のための機構を提案する。たとえば、スケジューリングアルゴリズムは、UEに複数のアップリンクストリームを割り当てるかどうかを判定する際に、UEならびにサービングセルまたは関連ノードBにおけるスループットを考慮し得る。複数のアップリンクキャリアのために、ライズオーバサーマル(RoT)も制御され得る。本明細書で使用する場合、RoTは、基地局(ノードB)で受信された総干渉と基地局の熱雑音との比率を指す。
【００１５】
その上、一例では、ノードBは、ルールセットに基づいて各ストリームにE-TFCを割り当てることができ、このルールセットは、いくつかの例では両方のストリームの考慮に関係し得る。また、ノードBは、複数ストリーム動作の複雑さを考慮して、ストリームに割り振るために新たに定義されたE-TFCを利用することができる。E-TFCは、様々な状態の定義、ハイブリッド自動再送/要求(HARQ)割当ての考慮、電力スケーリングおよびTBSの選択の計算などを有し得る。さらに、本明細書では、複数のストリームの割当てに基づく外部ループ電力制御に関する考慮事項を提示する。考えられるスケジューリング割当て、E-TFC関連性、電力制御要素などが、ワイヤレスネットワークにおけるアップリンクMIMOパフォーマンスを改善することができる。説明する考慮事項は、一例ではUE、ノードBなどの媒体アクセス制御(MAC)層で実施され得る。
【００１６】
図1を参照すると、一態様では、ワイヤレス通信システム10が、ワイヤレスネットワークアクセスを受け取るためにノードB14と通信するためのユーザ機器(UE)12を含む。システム10はまた、ワイヤレスネットワークへのノードBのアクセスを促進するためのRNC16を随意に含む。たとえば、ノードB14は、実質的に任意のノードB、たとえばマクロセルノードB、ピコセルノードBもしくはフェムトセルノードB、モバイルノードB、リレー、UE12とピアツーピアもしくはアドホックモードで通信するUE、および/またはワイヤレスネットワークにおいて通信するためにUEをスケジュールする実質的に任意の構成要素であり得る。UEの例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスなどがある。
【００１７】
UE12は、ワイヤレスネットワークにおいて通信するためにノードBから1つまたは複数のスケジューリング許可を取得するためのスケジューリング許可受信構成要素18、スケジューリング許可におけるアップリンクストリームまたは関連フローをE-TFCに関連付けるためのE-TFC選択構成要素20、およびアップリンクストリームでノードBに送信するための通信構成要素22を含む。
【００１８】
ノードB14は、1つまたは複数のストリームに関してUE12に1つまたは複数のスケジューリング許可を通信するためのスケジューリング構成要素24を含む。ノードB14は、アップリンクストリームに関するフィードバックを取得するための制御チャネル復号構成要素26、および/またはパケットの受信元であるフローに関係する識別子を、電力制御を促進するためにRNCに通信するためのパケット識別子指示構成要素28を随意に含む。
【００１９】
RNC16は、パケットに関係するストリームを示すパケット識別子をノードB14から取得するためのパケット識別子受信構成要素30、および/または対応するUEのために外部ループ電力制御を実施するための電力制御構成要素32を随意に含む。
【００２０】
一例によれば、UE12はノードB14に対しネットワークアクセスを要求することができ、または他の方法でノードB14と通信することができる。スケジューリング構成要素24は、(たとえば、UE12との通信を初期化すると、またはUE12からの追加リソース要求などのような1つまたは複数の検出されたイベントに基づいて)UE12向けのスケジューリング許可を判定する。これは、UE12に複数のアップリンクストリームを許可するかどうかを判定することを含み得る。スケジューリング構成要素24は、UE12に複数のアップリンクストリームを割り当てるかどうかを判定する際に、UE12のスループットを最大化すること、またはノードB14もしくは関連セルのスループットを最大化すること、の少なくとも1つを考慮し得る。たとえば、あるユーザが、各TTIでノードB14によってスケジュールされている場合、スケジューリング構成要素24はUE12に対し、複数のアップリンクストリームを、ノードB14におけるスループットを著しく損なうことなしにUEのスループットが追加のアップリンクストリームによって増大すると判定したことに基づいて、割り当てることができる。
【００２１】
その上、たとえば、スケジューリング構成要素24は、複数のストリームの合算データレートが複数のUEの間で比較的偏りのないようにすることができる。また、スケジューリング構成要素24は、少なくとも最小スループットになるように追加ストリームをスケジュールすることができる。その上、スケジューリング構成要素24は、一次ストリームとの関係に基づいて(たとえば、一次ストリームよりも低いスループットで)追加ストリームをスケジュールすることができる。いくつかの態様では、スケジューリング構成要素24は、一次ストリームに関するトランスポートブロックサイズを判定するために使用され得る一次スケジューリング許可に加えて、二次ストリームに関するトランスポートブロックサイズを判定するために使用され得る二次スケジューリング許可を割り当てることができる。本明細書で使用する場合、一次ストリームは、一次データチャネルE-DPDCHを搬送するために使用される送信ストリームを指し、二次ストリームは、二次データチャネルS-E-DPDCHを搬送するために使用される送信ストリームを指す。いずれの場合も、スケジューリング許可受信構成要素18は、1つまたは複数のアップリンクストリームに関する許可をノードB14から取得することができ、通信構成要素22は、それに応じて1つまたは複数のアップリンクストリームでノードB14と通信することができる。スケジューリング構成要素24は、複数のストリームを様々なユーザに対し、それらのチャネル状態に基づいて割り当てることができる。
【００２２】
加えて、スケジューリング構成要素24は、ノードB14におけるRoTを、RoTしきい値を超えないように制御することができる。この例では、スケジューリング構成要素24は、(たとえば、線形最小平均2乗誤差(LMMSE:linear minimum mean square error)受信機または他の干渉消去方式による)干渉抑制後の所与のストリームにおけるRoTに対応する、所与のストリームによってもたらされる実効RoTを制御することができる。たとえば、RoTがしきい値を超えた場合、スケジューリング構成要素24は、違反ストリームのスループットまたは許可サイズを低減することができ、これは、上記のスケジューリングのルールに基づいて生じ得る(たとえば、追加ストリームは、最小値を下回るスループットを有することができない、追加ストリームは一次ストリームよりも低いスループットを有し得る、など)。
【００２３】
複数ストリーム割当てによって引き起こされる干渉における空間カラーリング(spatial coloring)または方向性は、セル間干渉協調に新たな問題をもたらし得る。この問題は、各UEが1つのストリームを送信するだけであるレガシーアップリンクシステムに存在し得る。セルからの総干渉が複数のUEから来る限り、総干渉の方向性は平均化される傾向がある。しかしながら方向性干渉(directional interference)は、単一のUEがセルからの総干渉を決定付け得る場合、アップリンクMIMOにおけるより深刻な問題をもたらすことがある。したがって、いくつかの態様では、UE12の非サービングノードB(図示せず)が拡張相対許可チャネル(E-RGCH:enhanced relative grant channel)許可をUE12に通信するのを許容されることで、送信電力が引き下げられて、非サービングノードBはUE12による干渉から保護される。したがって、たとえば、スケジューリング構成要素24は、UE12の行動に基づいて非サービングE-RGCHを推測することができ、UEが1つまたは複数の割り当てられたアップリンクストリームに関してより小さいトラフィック対パイロット(T2P)比および/またはトランスポートブロックサイズ(TBS)を選択した場合、スケジューリング構成要素24は、非サービングノードBに引き起こされたセル間干渉によってUE12が制限されていると仮定することができる。本明細書で使用する場合、T2P比は、パイロットチャネルに対するデータトラフィックチャネルのオフセットを指す。したがって、一例では、スケジューリング構成要素24は、UE12に関するスループットを低減し、他のUEには、残存RoTマージン(remaining RoT margin)を上限として追加スループットを許可することができる。
【００２４】
いくつかの態様では、非サービングノードから受信されたE-RGCHを使用して、一次ストリームのTBSおよび一次ストリームと二次ストリームの両方の電力レベルを制御することができる。この手法では、二次ストリームの復号性能は、電力レベルが低減されたときはいつでも影響を受ける。しかしながら、必要に応じて、復号誤り率を維持するために、サービングノードBにおけるレート適応マージンループを使用して二次ストリームのTBSを引き下げる。他の態様では、さらに、非サービングE-RGCHを使用して二次ストリーム許可を変更することで、新しい二次ストリームTBSをもたらし、それによりマージンループが二次ストリームの復号性能を維持するのを支援する。
【００２５】
さらに、たとえば、E-TFC選択構成要素20はE-TFCを、スケジューリング許可受信構成要素18によってノードB14からのスケジューリング許可で受信された各ストリームまたはそれに関係するフローに割り当てることができる。これは、一例ではMAC層で生じ得る。E-TFCは、たとえば、利用可能な送信リソースに基づいて、UE12に割り当てられた一次アップリンクストリームおよび/または追加アップリンクストリームで通信するための制約を定義することができる。UE12は、所与のストリームに関するE-TFC選択構成要素20によって選択可能なE-TFCの状態セットをサポートすることができる。
【００２６】
たとえば、状態セットは、2つのストリームの一次ストリームに関係する第1のセット、2つのストリームの二次ストリームに関係する第2の状態セット、1つのストリームのみに関する第3のセットなどを含み得る。たとえば、n個のストリームがあるとすれば、UE12はn+(n -1)+(n -2)+...+(n-(n-1))個の状態セットを、所与のストリーム構成で考えられる各ストリームに1つの形で維持することができる。所与の状態セットにおける各状態は、対応するペイロードが対応するストリーム構成においてサポートされるか、またはブロックされるかを示すことができ、これは本明細書においてE-TFC制限と呼ばれ得る。状態はUE12によって、(たとえば、先行送信期間に)ノードB14と通信するために利用可能なリソースに基づいて変更されてよく、UE12は、ノードB14と通信するときにその状態に従い得る。したがって、たとえば、E-TFC選択構成要素20は、スケジューリング許可受信構成要素18によって受信されたスケジューリング許可に関係するストリームに関するE-TFCを選択することができ、通信構成要素22は、関連E-TFCおよび対応する状態セット(たとえば、および/または利用されるストリーム)に基づいて、MAC層でノードB14にストリームのうちの1つまたは複数に関するデータを送信するかどうかを判定することができる。
【００２７】
別の例では、E-TFC選択構成要素20によって選択可能なE-TFCは、追加ストリームに関する関連最小T2P/TBSを有してよく、それにより通信構成要素22は、最小値を下回る関連T2PまたはTBSを使用して追加ストリームで送信することができなくなる(したがって、これらのストリームでの通信はキャンセルされ得る)。また、一次ストリームまたは1つのストリームに関して、最小E-TFCセット(たとえば、UE12の電力がしきい値を下回るときに送信することができるE-TFCのセット)が維持され得る。
【００２８】
その上、スケジューリング許可で示されたストリームで通信を再送信するために、UE12によってn個のHARQプロセスが使用され得る場合、一次ストリームに関するHARQインデックスは0〜n-1であってよく、二次ストリームに関するHARQインデックスはn〜2n-1であってよい(そして三次ストリームに関するHARQインデックスは2n〜3n-1であってよく、以下同様である)。通信構成要素22が2つのストリームでアップリンク通信を送信する場合、たとえば、HARQインデックスは対になってよく、それにより、一次ストリームのインデックスがk(0≦k<n)である場合、二次ストリームはHARQインデックスk+nを有し得る。通信構成要素22は、ストリームの構成に対応する選択されたE-TFCの状態セットにおける状態などに応じて、第1のストリームおよび/または第2のストリームからの通信を再送信するために適切なHARQインデックスを使用することができる。
【００２９】
さらに、通信構成要素22は、ストリームの構成に基づいてストリームでデータを再送信するためにストリームの元のTBSを保持することができる。たとえば、ストリームの構成に従って、2つのストリームが割り当てられて利用される場合に一次ストリームで再送信するために、通信構成要素22は、最初に送信するために一次ストリームで使用されたTBSと同様のTBSを再送信に利用することができる。通信構成要素22はさらに、一次ストリームの再送信を考慮するときに、前述したように、許可、電力、およびデータに従って許容される場合に二次ストリームを送信することができる。別の例では、ストリームの構成に従って、2つのストリームが割り当てられて利用される場合に二次ストリームで再送信するために、通信構成要素22は、最初に送信するために二次ストリームで使用されたTBSと同様のTBSを再送信に利用することができる。この例では、通信構成要素22は、説明したように、二次ストリームスループットと一次ストリームスループットとの間の関係に関する考えられる制約に違反しないように、一次ストリームで新しい送信を通信することもできる。ストリームのT2P/TBSはストリームのスループットをもたらし得るので、スループットは本明細書ではT2P/TBSとも呼ばれる。別の例では、二次ストリームからのデータの再送信が、ノードB14へのシングルストリーム送信として一次ストリームで生じ得る。
【００３０】
また、たとえば、UE12は部分的にHARQ再送信に基づいてスケジューリング許可を更新することができる。スケジューリング許可更新は、HARQごとに独立したものであり得る。一例では、二次ストリームに関するスケジューリング許可更新が、説明した最小TBSを下回る場合、ゼロの許可サイズが二次ストリームに使用され得る。別の例では、一次ストリームが送信用データを有しない場合、一次ストリーム上のスケジューリング許可更新はゼロであってよく、上述した許容される一次スループットと二次スループットとの間の関係における制約にもかかわらず、二次ストリーム許可更新はゼロよりも大きくてよい。
【００３１】
通信構成要素22はまた、(たとえば、E-TFCの状態セットにおける選択された状態が、一次ストリーム以外でも送信を許容する場合)複数ストリーム送信の電力スケーリングを実施することができる。以下では2つのストリームの文脈で説明するが、ストリームに関する電力スケーリングを計算するにあたり、より多くのストリームが考えられる。通信構成要素22は再送信しているストリームに優先権を与え得ることを諒解されたい。一例では、通信構成要素22は2つのストリームに関する電力を、一次ストリームに基づいて(たとえば、一次ストリームの再送信または関連スケジューリング許可のT2P/TBSに基づいて)計算することができる。しかしながら、再送信が二次ストリームで生じる場合、これはパケット障害を引き起こすことがあり、この場合には元のT2P/TBSがストリームにとって大きく、そして第1のストリームに関するスケジューリング許可がより小さいT2P/TBSをもたらしている。この例では、二次ストリームの場合の再送信は、元のT2P/TBSを必要とし得るが、一次ストリームに対するスケジューリング許可のより小さいT2P/TBSが割り当てられ得る。
【００３２】
別の例では、通信構成要素22はストリームに関する電力スケーリングを、ストリームのうちの1つに関して計算されたより大きい電力に基づいて計算することができる。この例では、一次ストリームに関して計算された電力スケーリングは、再送信の場合または受信されたスケジューリング許可の場合にT2P/TBSに基づき得る。二次ストリームに関して計算された電力スケーリングは、新しい送信の場合にスケジューリング許可のT2P/TBSに基づいてよく、または再送信の場合に、パケットが始まったときの以前の電力もしくは以前のスケジューリング許可に基づいてよい。たとえば、パケットが二次ストリームでの再送信用である場合、二次ストリームに関して計算された電力は、再送信するパケットが最初に形成されたときの一次ストリーム上の電力に対応する。代替として、パケットが二次ストリームでの再送信用である場合、二次ストリームに関して計算された電力は、サービングストリーム上のSGが完全に利用された場合に一次ストリームによって使用されるであろう電力に対応する。別の代替として、パケットが二次ストリームでの再送信用である場合、二次ストリームに関して計算された電力は、以前の送信試行で使用された電力に対応する。通信構成要素22は、一次ストリームに関して計算された電力スケーリングおよび二次ストリームに関して計算された電力スケーリングのうちの最大値を、両方のストリームに関する電力スケーリングとして選択することができる。
【００３３】
一例では、二次ストリーム上に新しいパケットがある場合、通信構成要素22は、上述したスケジューリング許可およびE-TFC制限に基づいて二次ストリームに関するT2P/TBSを選択することができる。最小T2P/TBSがしきい値を下回る場合、通信構成要素22は通信に二次ストリームを利用することができない。したがって、通信構成要素22は、1つのストリームのみに対応する選択されたE-TFCにおける状態セット、スケジュールされた許可、および/またはデータに基づいて一次ストリームのT2P/TBS(たとえば、考慮すべき他のストリームを伴わない許可でデータを送信するのに十分なT2P/TBS)を選択する。通信構成要素22はまた、二次パイロットの電力が一次パイロットの電力に対するオフセットにある場合、第2のデータストリームのない二次パイロット送信を許容することができる。最小TBSに対するT2Pは、T2P/TBSがしきい値を上回る/下回る場合の二次ストリームのオン/オフ状態間の動的切替えが二次パイロットの電力の大きい動揺をもたらさないように選択されるべきである。
【００３４】
別の例では、ノードB14への少なくとも最小の送信を可能にするために、スケジュールされていない許可が両方のストリームに適用され得る。たとえば、通信構成要素22は、一次ストリームで始まる形でスケジュールされていない許可を適用することができ、データは、一次ストリームでのスケジュールされていない許可のT2P/TBSに従い、次いで追加ストリームに従って満たされ得る。その上、複数のストリームがあるとすれば、UE12は、ノードB14と1つまたは複数の非サービングノードBの両方で、最大で同様の数のE-RGCHを有し得る。
【００３５】
通信構成要素22はまた、スケジューリング許可に関するフィードバックをノードB14に通信することができる。たとえば、通信構成要素22は、拡張専用物理制御チャネル(E-DPCCH)および/または二次E-DPCCH(S-E-DPCCH)でハッピービットを送信することができ、いずれの場合も同じハッピービット値であってよい。本明細書で使用する場合、ハッピービットは、UE12からノードB14に送信されるインジケータを指し、UEのバッファにおけるデータ量に照らして、UEに割り振られたアップリンクデータレートが十分であるかどうかを示す。たとえば、通信構成要素22は、すべてのストリームに関する合算データレートおよび/または電力に基づいてハッピービットを計算することができる。制御チャネル復号構成要素26は、ハッピービットのうちの1つを取得して復号し、そのハッピービットを利用して、ストリームのスケジューリング許可を変更するかどうかを判定することができる。通信構成要素22はまた、両方のストリームに関するスケジューリング情報(SI)レポートをノードB14に送信することができる。SIレポートは、たとえばE-DPCCHおよびS-E-DPCCHの電力を考慮した電力ヘッドルーム情報を含み得る。さらに、通信構成要素22は、説明したように、所与の送信に許可における二次ストリームまたは他の追加ストリームを利用しないことがあるので、制御チャネル復号構成要素26は、様々な制御チャネル(たとえば、E-AGCH、E-RGCH、E-DPCCHなど)に関する(たとえば、チャネルが使用されているかどうかを判定する)NULL検出を実施することができる。また、一例では、制御チャネル復号構成要素26は、スケジューリング許可、最小T2P/TBS、および場合によっては1つまたは複数のストリームを表す単一のハッピービットに部分的に基づいて、UE12からの制御データを復号することができる。
【００３６】
別の例では、RNC16は、UE12から受信されたデータに基づいてUE12の電力を調整するために外部ループ電力制御ループを実施することができる。一例では、電力制御構成要素32は、一次ストリームで受信されたデータのみに基づいてUE12の電力を制御することができる。この例では、パケット識別子指示構成要素28は、UE12からRNC16に提供されるパケットのストリーム識別子を含めることができる。この例では、パケット識別子受信構成要素30は、UE12に関係するノードB14から取得されたパケットのストリーム識別子を判定することができる。電力制御構成要素32は、UE12の電力を制御するために、一次ストリームに関係するストリーム識別子を有するパケットを考慮することができる。別の例では、電力制御構成要素32は、すべてのストリームからのパケットに基づいてUE12の電力を制御することができるので、この例ではストリーム識別子をシグナリングすることは必要とされない。その上、一例では、電力制御構成要素32は、2つ以上の電力ループを、各ストリームに1つの形で使用することができる。この例では、1つまたは複数のストリームが利用されないことがあるので、パケット識別子指示構成要素28は同様に、RNC16に通信されるパケットにストリーム識別子を含めることができる。したがって、RNC16は、所与のストリームに関してパケットが受信されるかどうか(したがって、そのストリームに関する電力ループが初期化されるべきかどうか)を判定することができる。
【００３７】
いずれの場合も、電力制御構成要素32は、電力制御コマンドを(たとえば、ノードB14を介して)UE12に送信することができる。たとえば、電力制御コマンドは、送信電力を上げるか、または下げるかを示すことができる。通信構成要素22は、電力制御コマンドに基づいて、ストリームに関して実質的に等しく電力を調整することができる。たとえば、電力調整および利得係数をE-DPCCHおよびS-E-DPCCHに適用した後、電力が最大許容電力を上回る場合、通信構成要素22は拡張専用物理データチャネル(E-DPDCH)および二次E-DPDCH(S-E-DPDCH)の利得係数を、総送信電力が最大許容電力に等しくなるように等しいスケーリング係数で低減することができる。一例では、スケーリング係数は一次ストリームに基づいて(たとえば、一次ストリームで電力を達成するスケーリング係数に基づいて)計算され得る。加えて、通信構成要素22が、E-TFCIiがE-TFCIec,boost(E-TFC識別子(E-TFCI)しきい値であって、これを超えると、E-DPCCH電力が引き上げられて追加の参照信号が提供される)よりも大きいと判定した場合、通信構成要素22は、スケーリング係数に従ってE-DPDCH利得係数のみを低減し、元の電力を使用してE-DPCCHを送信することができる。同様に、二次ストリームに関する追加参照チャネルにS-E-DPDCHが使用される場合、二次ストリームに関するE-TFCIec,boostが使用されてよく、S-E-DPCCHが引き上げられる場合、通信構成要素22は、スケーリング係数に従ってS-E-DPDCHの利得を低減することができる。
【００３８】
通信構成要素22は次の場合に、最大許容電力に達するために総送信電力に追加のスケーリングを適用することができる。(1)DPDCHが構成され、すべてのE-DPDCHで間欠送信(DTX)が使用されても総送信電力が依然として最大許容値を上回る、または(2)DPDCHが構成されず、すべてのkの利得係数が最小利得係数にあっても総送信電力が依然として最大許容値を上回る。また、通信構成要素22はさらに、DPCCHとDPDCHとの定義された電力比に従って総送信電力をスケーリングすることができる。
【００３９】
図2を参照すると、一態様では、アップリンクMIMOにおける複数のストリームで通信するための方法40が示されている。説明のため、上記の図1を参照して方法40について説明する。他の実装形態では、図2の方法40を実施する際に、図1に示す構成要素とは異なる構成要素を含む他のシステムおよび/またはUE、ノードBもしくはRNCが使用され得ることを理解されたい。
【００４０】
42において、スケジューリング許可受信構成要素18がノードBスケジューリング構成要素24から、MIMOにおける複数のアップリンクストリームに関係する1つまたは複数のスケジューリング許可を受信することができる。たとえば、スケジューリング許可受信構成要素18はノードBから、リソースを割り当てるための制御チャネルでのスケジューリング許可を受信することができる。スケジューリング許可がアップリンクストリームの各々に関して受信されるように、スケジューリング許可はストリームごとであってよい。
【００４１】
44において、通信構成要素22は、複数のアップリンクストリームの一次ストリームに関する一次送信電力または一次TBSを計算することができ、46において、通信構成要素22は、複数のアップリンクストリームの二次ストリームに関する二次送信電力または二次TBSを判定することができる。説明したように、通信構成要素22は一次送信電力および二次送信電力を、アップリンクストリームに関して選択されたE-TFCおよび/または通信がアップリンクストリームで生じ得るかどうかを判定することに対応する関連する状態セットに基づいて判定することができる。たとえば、電力またはリソースが利用可能である場合、通信構成要素22は送信電力およびTBSを、一次ストリームおよび二次ストリームで送信するのに十分な値と計算することができる。ただし、場合によっては、E-TFCの状態により、利用可能なリソースに応じて、一次ストリームおよび二次ストリームでの送信が許容されないこと(たとえば、または少なくとも、二次ストリームで通信するのに十分な二次TBSが許容されないこと)がある。その上、選択構成要素20が、上記でさらに詳しく説明したような、一次ストリームまたは二次ストリームに関するデータを再送信するためのHARQリソースの判定、HARQ再送信に基づくスケジューリング許可更新の受信、複数のストリームでの送信に関する電力スケーリングの判定、複数のストリームでのスケジュールされていない許可の適用などに使用されるE-TFCを選択することができる。さらに、E-TFC選択構成要素20は、アップリンクストリームごとに許可チャネルを構成することができ、説明したように、複数のアップリンクストリームに共通のハッピービットがノードBに通信されることなどがある。
【００４２】
48において、いくつかの態様では、通信構成要素22は、1つまたは複数のノードBから1つまたは複数の拡張相対許可チャネル(E-RGCH)を受信することができる。たとえば、サービングノードBのスケジューリング構成要素24が第1のE-RGCHを提供することができ、1つまたは複数の非サービングノードBのスケジューリング構成要素が追加のE-RGCHを提供することができる。本明細書で説明したように、非サービングノードBがE-RGCHをUEに通信するのを許容することで、送信電力を引き下げて、非サービングノードBをUEによる干渉から保護することができる。
【００４３】
図3を参照すると、一態様では、ワイヤレスネットワークにおけるUEに複数のアップリンクストリームを割り当てるための方法50が示されている。説明のため、上記の図1を参照して方法50について説明する。他の実装形態では、図3の方法50を実施する際に、図1に示す構成要素とは異なる構成要素を含む他のシステムおよび/またはUE、ノードBもしくはRNCが使用され得ることを理解されたい。
【００４４】
51において、一態様では、ノードB14が1つまたは複数のストリームに関する単一のハッピービットを受信することができる。
【００４５】
52において、図1に示すスケジューリング構成要素24が、複数のストリームを含むUE向けのスケジューリング許可を判定することができ、これはいくつかの態様では、スケジューリング許可がUEまたはノードB(たとえば、ノードB14)もしくは関連セルにおけるスループットを増大させるかどうかに部分的に基づき得る。たとえば、説明したように、UEに複数のアップリンクストリームを許可するかどうかを判定する際に、両方の考慮事項が斟酌され得る。
【００４６】
54において、スケジューリング構成要素24はUEにスケジューリング許可を送信することができる。たとえば、これは1つまたは複数の許可チャネルで生じ得る。
【００４７】
随意に、56において、スケジューリング構成要素24は複数のストリームに関するRoTを管理することができる。説明したように、たとえば、スケジューリング構成要素24は、ストリームに関するRoTを、ストリームでのUEの行動を検出することに部分的に基づいて管理することができる。たとえば、UEが、より大きいT2P/TBSを利用するのに十分な電力を有しながらも、より小さいT2P/TBSを要求した場合、スケジューリング構成要素24は、UEが非サービングノードBに干渉を引き起こしていると推測することができる。したがって、56において、スケジューリング構成要素24は、より小さいスケジューリング許可をUEに通信する一方で、残存RoTマージンを他のUEに流用することによって、RoTを管理することができる。
【００４８】
図4は、一態様では、複数のストリームで通信するUEの電力を調整するための方法60を示す。
【００４９】
62において、パケット識別子受信構成要素30は、所与のパケットに対応するストリームを示すストリーム識別子を含むパケットをノードBから受信することができる。たとえば、UEがパケットをノードBに通信し、ノードBがパケットを、コアネットワークに提供するために転送する場合、ストリーム識別子は所与のUEのストリームに対応し得る。
【００５０】
64において、電力制御構成要素32が、ストリームに対応するパケットを使用して、UE向けの電力制御コマンドのためにターゲット電力を計算することができる。たとえば、これは、UEのターゲット信号対雑音干渉比(signal-to-noise-and-interference ratio)である電力セットポイントを計算することを含む。したがって、電力制御構成要素32は、UEのシングルストリームに関するパケットを使用して、セットポイントを計算することができる。一例では、他の識別子のパケットが電力制御の目的で無視されるか、または利用されて、特定のストリームに関する電力制御が計算され得ることを諒解されたい。
【００５１】
66において、電力制御構成要素32は、UEに電力制御コマンドを通信することができる。たとえば、この通信は、ノードBを介して、電力制御コマンドに専用のチャネルで生じ得る。
【００５２】
図5は、処理システム114を使用する装置100のハードウェア実装形態の一例を示すトップレベルブロック図である。たとえば、装置100は、上述のようにUE12、ノードB14、RNC16などとして動作するように特別にプログラムされるか、あるいは構成され得る。この例では、処理システム114は、バス102によって全般的に表されるバスアーキテクチャで実装され得る。バス102は、処理システム114の具体的な用途および全体的な設計制約に応じて、任意の数の相互接続するバスおよびブリッジを含み得る。バス102は、プロセッサ104によって全般的に表される1つまたは複数のプロセッサ、およびコンピュータ可読記録媒体106によって全般的に表されるコンピュータ可読記録媒体を含む様々な回路を互いにリンクさせる。バス102は、タイミングソース、周辺機器、電圧調整器、および電力管理回路など、様々な他の回路をリンクさせることもでき、これらの回路は当技術分野でよく知られており、したがって、これ以上は説明しない。バスインターフェース108は、バス102とトランシーバ110との間にインターフェースを提供する。トランシーバ110は、送信媒体上の様々な他の装置と通信するための手段を提供する。また、装置の性質に応じて、ユーザインターフェース112(たとえば、キーパッド、ディスプレイ、スピーカー、マイクロフォン、ジョイスティック)が設けられてもよい。
【００５３】
プロセッサ104は、バス102の管理、およびコンピュータ可読記録媒体106上に記憶されたソフトウェアの実行を含む全般的な処理を受け持つ。ソフトウェアは、プロセッサ104によって実行されると、任意の特定の装置の以下で説明する様々な機能を処理システム114に実行させる。コンピュータ可読記録媒体106は、ソフトウェアを実行するときにプロセッサ104によって操作されるデータを記憶するために使用されてもよい。一態様では、たとえば、プロセッサ104および/またはコンピュータ可読記録媒体106は、上述のようにUE12、ノードB14などとして動作するように特別にプログラムされるか、あるいは構成され得る。
【００５４】
上記のように、装置100は、UE12、ノードB14、RNC16などとして動作するように特別にプログラムされるか、あるいは構成され得る。たとえば、プロセッサ104をバスインターフェース108およびコンピュータ可読記録媒体106とともに使用して、UE12の構成要素18および20を実施することができる。プロセッサ104、バスインターフェース108、コンピュータ可読記録媒体106およびトランシーバ110は、UE12の構成要素22を実施するように構成され得る。装置100がノードB14として動作しているとき、プロセッサ104は、バスインターフェース108およびコンピュータ可読記録媒体106とともに、ノードB14の構成要素24、26および28を実施するように構成され得る。同様に、装置100がRNC16として動作しているとき、プロセッサ104は、バスインターフェース108およびコンピュータ可読記録媒体106とともに、RNC16の構成要素30および32を実施するように構成され得る。
【００５５】
本開示全体にわたって提示される様々な概念は、広範な電気通信システム、ネットワークアーキテクチャ、および通信規格にわたって実装され得る。
【００５６】
限定されるものではないが、例として、図6に示される本開示の態様は、W-CDMAエアインターフェースを使用するUMTSシステム200を参照して示される。UMTSネットワークは、コアネットワーク(CN)204、UMTS Terrestrial Radio Access Network(UTRAN)202、およびユーザ機器(UE)210の3つの相互作用する領域を含む。この例では、UTRAN202は、電話、ビデオ、データ、メッセージング、放送、および/または他のサービスを含む様々なワイヤレスサービスを提供する。UTRAN202は、無線ネットワークコントローラ(RNC)206などのそれぞれのRNCによって各々制御される、無線ネットワークサブシステム(RNS)207などの複数のRNSを含み得る。ここで、UTRAN202は、本明細書で説明するRNC206およびRNS207に加えて、任意の数のRNC206およびRNS207を含むことができる。RNC206は、とりわけ、RNS207内の無線リソースを割り当て、再構成し、解放することを受け持つ装置である。RNC206は、任意の適切なトランスポートネットワークを使用する、直接の物理接続、仮想ネットワークなど様々なタイプのインターフェースを介して、UTRAN202中の他のRNC(図示せず)に相互接続され得る。
【００５７】
UE210とノードB208との間の通信は、物理(PHY)層および媒体アクセス制御(MAC)層を含むものと見なされ得る。さらに、それぞれのノードB208によるUE210とRNC206との間の通信は、無線リソース制御(RRC)層を含むものと見なされ得る。本明細書では、PHY層は、層1と見なされ、MAC層は、層2と見なされ、RRC層は、層3と見なされ得る。以下、情報は、参照により本明細書に組み込まれるRRC Protocol Specification、3GPP TS 25.331 v9.1.0に述べられている用語を使用する。さらに、たとえば、UE210は、上述のようにUE12として動作するように特別にプログラムされるか、あるいは構成され得、かつ/またはノードB208は、上述のようにノードB14として動作するように特別にプログラムされるか、あるいは構成され得る。
【００５８】
RNS207によってカバーされる地理的領域が、いくつかのセルに分割され、無線トランシーバ装置が各セルにサービスすることができる。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS207に3つのノードB208が示されているが、RNS207は、任意の数のワイヤレスノードBを含んでもよい。ノードB208は、モバイル装置であり得る任意の数のUE210に、CN204へのワイヤレスアクセスポイントを提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオデバイス、デジタルオーディオプレーヤ(たとえば、MP3プレーヤ)、カメラ、ゲーム機、または任意の他の類似の機能デバイスがある。モバイル装置は、通常、UMTS用途ではUEと呼ばれるが、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、または何らかの他の適切な用語で呼ばれることもある。UMTSシステムでは、UE210は、ネットワークへのユーザの加入情報を含む汎用加入者識別モジュール(USIM)211をさらに含み得る。説明のために、1つのUE210がいくつかのノードB208と通信しているように示される。順方向リンクとも呼ばれるDLは、ノードB208からUE210への通信リンクを指し、逆方向リンクとも呼ばれるULは、UE210からノードB208への通信リンクを指す。
【００５９】
CN204は、UTRAN202など1つまたは複数のアクセスネットワークとインターフェースをとる。図示のように、CN204は、GSM（登録商標）コアネットワークである。しかしながら、当業者が認識するように、GSM（登録商標）ネットワーク以外のタイプのCNへのアクセスをUEに提供するために、本開示全体にわたって提示される様々な概念を、RANまたは他の適切なアクセスネットワークにおいて実装することができる。
【００６０】
CN204は、回線交換(CS)領域およびパケット交換(PS)領域を含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換領域とパケット交換領域の両方によって共有され得る。図示の例では、CN204は、MSC212およびGMSC214によって回線交換サービスをサポートする。いくつかの用途では、GMSC214は、メディアゲートウェイ(MGW)とも呼ばれ得る。RNC206などの1つまたは複数のRNCが、MSC212に接続され得る。MSC212は、呼設定、呼ルーティング、およびUEモビリティ機能を制御する装置である。MSC212は、UEがMSC212のカバレージ内にある間に加入者関連の情報を格納するVLRも含む。GMSC214は、UEが回線交換ネットワーク216にアクセスするためのゲートウェイを、MSC212を通じて提供する。GMSC214は、特定のユーザが加入したサービスの詳細を反映するデータのような加入者データを格納する、ホームロケーションレジスタ(HLR)215を含む。HLRは、加入者に固有の認証データを格納する、認証センター(AuC)とも関連付けられている。特定のUEについて、呼が受信されると、GMSC214は、UEの位置を特定するためにHLR215に問い合わせ、その位置をサービスする特定のMSCに呼を転送する。
【００６１】
CN204はまた、サービングGPRSサポートノード(SGSN)218およびゲートウェイGPRSサポートノード(GGSN)220によって、パケットデータサービスをサポートする。汎用パケット無線サービスを表すGPRSは、標準の回線交換データサービスで可能なものよりも速い速度でパケットデータサービスを提供するよう設計されている。GGSN220は、パケットベースネットワーク222へのUTRAN202の接続を提供する。パケットベースネットワーク222は、インターネット、プライベートデータネットワーク、または何らかの他の適切なパケットベースネットワークであってもよい。GGSN220の主要機能は、UE210にパケットベースネットワーク接続を提供することである。データパケットは、MSC212が回線交換領域において実行するのと同じ機能をパケットベース領域において主に実行するSGSN218を介して、GGSN220とUE210との間で転送され得る。
【００６２】
UMTSのエアインターフェースは、スペクトラム拡散直接シーケンス符号分割多元接続(DS-CDMA)システムを利用してよい。スペクトラム拡散DS-CDMAは、チップと呼ばれる一連の疑似ランダムビットとの乗算によって、ユーザデータを拡散させる。UMTSの「広帯域」W-CDMAエアインターフェースは、そのような直接シーケンススペクトラム拡散技術に基づいており、さらに周波数分割複信(FDD)を必要とする。FDDは、ノードB208とUE210との間のULおよびDLに異なる搬送周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指し得るが、基礎をなす原理はTD-SCDMAエアインターフェースに等しく適用可能であり得ることを、当業者は理解するだろう。
【００６３】
HSPAエアインターフェースは、スループットの向上および遅延の低減を支援する、3G/W-CDMAエアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００６４】
HSDPAは、高速ダウンリンク共有チャネル(HS-DSCH)を、トランスポートチャネルとして利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００６５】
これらの物理チャネルの中でも、HS-DPCCHは、対応するパケット送信の復号が成功したかどうかを示すための、HARQ ACK/NACKシグナリングをアップリンクで搬送する。すなわち、ダウンリンクに関して、UE210は、ダウンリンク上のパケットを正常に復号したかどうかを示すために、HS-DPCCHを通じてフィードバックをノードB208に与える。
【００６６】
HS-DPCCHはさらに、変調方式および符号化方式の選択、ならびにプリコーディングの重みの選択に関して、ノードB208が正しい決定を行うのを支援するための、UE210からのフィードバックシグナリングを含み、このフィードバックシグナリングはCQIおよびPCIを含む。
【００６７】
「HSPA Evolved」またはHSPA+は、MIMOおよび64-QAMを含むHSPA規格の進化形であり、スループットの増大およびパフォーマンスの向上を可能にする。すなわち、本開示の一態様では、ノードB208および/またはUE210は、MIMO技術をサポートする複数のアンテナを有し得る。MIMO技術の使用により、ノードB208は空間領域を活用して、空間多重化、ビームフォーミング、および送信ダイバーシティをサポートすることができる。
【００６８】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００６９】
空間多重化は、同じ周波数で同時に様々なデータストリームを送信するために使用され得る。データストリームは、データレートを上げるために単一のUE210に送信されてよく、または全体的なシステム容量を拡大するために複数のUE210に送信されてもよい。これは、各データストリームを空間的にプリコーディングし、次いで空間的にプリコーディングされた各ストリームをダウンリンクで異なる送信アンテナを介して送信することによって達成される。空間的にプリコーディングされたデータストリームは、様々な空間シグネチャを伴いUE210に到着し、これによりUE210の各々は、当該UE210に向けられた1つまたは複数のデータストリームを回復することができる。アップリンク上では、各UE210は、1つまたは複数の空間的にプリコーディングされたデータストリームを送信することができ、これによりノードB208は空間的にプリコーディングされた各データストリームのソースを識別することができる。
【００７０】
空間多重化は、チャネル状態が良好なときに使用できる。チャネル状態がさほど好ましくないときは、ビームフォーミングを使用して送信エネルギーを1つもしくは複数の方向に集中させること、またはチャネルの特性に基づいて送信を改善することができる。これは、複数のアンテナを介して送信するデータストリームを空間的にプリコーディングすることによって達成できる。セルの端において良好なカバレージを達成するために、シングルストリームビームフォーミング送信を送信ダイバーシティと組み合わせて使用できる。
【００７１】
一般に、n個の送信アンテナを利用するMIMOシステムの場合、同じチャネル化コードを利用して同じキャリアでn個のトランスポートブロックが同時に送信され得る。n個の送信アンテナで送られる異なるトランスポートブロックは、互いに同じまたは異なる変調方式および符号化方式を有し得ることに留意されたい。
【００７２】
一方、単入力多出力(SIMO)は一般に、単一の送信アンテナ(チャネルへの単一の入力)および複数の受信アンテナ(チャネルからの複数の出力)を利用するシステムを指す。それによって、SIMOシステムでは、単一のトランスポートブロックがそれぞれのキャリアで送られ得る。
【００７３】
図7を参照すると、UTRANアーキテクチャにおけるアクセスネットワーク300が示されている。多元接続ワイヤレス通信システムは、セル302、304、および306を含む複数のセルラー領域(セル)を含み、セルの各々は、1つまたは複数のセクタを含み得る。複数のセクタはアンテナのグループによって形成されてよく、各々のアンテナがセルの一部にあるUEとの通信を担う。たとえば、セル302において、アンテナグループ312、314、および316は、各々異なるセクタに対応し得る。セル304において、アンテナグループ318、320、および322は、各々異なるセクタに対応する。セル306において、アンテナグループ324、326、および328は、各々異なるセクタに対応する。セル302、304、および306は、各セル302、304、または306の1つまたは複数のセクタと通信していてもよい、いくつかのワイヤレス通信デバイス、たとえばユーザ機器またはUEを含み得る。たとえば、UE330および332は、ノードB342と通信していてもよく、UE334および336は、ノードB344と通信していてもよく、かつUE338および340は、ノードB346と通信していてもよい。ここで、各ノードB342、344、346は、それぞれのセル302、304、および306の中のすべてのUE 330、332、334、336、338、340に、CN204(図6参照)へのアクセスポイントを提供するように構成される。たとえば、一態様では、図7のUEは、上述のようにUE12として動作するように特別にプログラムされるか、あるいは構成され得、かつ/またはノードBは、上述のようにノードB14として動作するように特別にプログラムされるか、あるいは構成され得る。
【００７４】
UE334がセル304における図示された位置からセル306に移動するとき、サービングセル変更(SCC)またはハンドオーバが生じて、UE334との通信が、ソースセルと呼ばれ得るセル304からターゲットセルと呼ばれ得るセル306に移行することがある。UE334において、それぞれのセルに対応するノードBにおいて、無線ネットワークコントローラ206(図6参照)において、またはワイヤレスネットワークにおける別の適切なノードにおいて、ハンドオーバ手順の管理が生じ得る。たとえば、ソースセル304との呼の間、または任意の他の時間において、UE334は、ソースセル304の様々なパラメータ、ならびに、セル306、および302のような近隣セルの様々なパラメータを監視することができる。さらに、これらのパラメータの品質に応じて、UE334は、近隣セルの1つまたは複数との通信を保つことができる。この期間において、UE334は、UE334が同時に接続されるセルのリストであるアクティブセットを保持することができる(すなわち、ダウンリンク専用物理チャネルDPCHまたはフラクショナルダウンリンク専用物理チャネルF-DPCHを現在UE334に割り当てているUTRAセルが、アクティブセットを構成し得る)。
【００７５】
アクセスネットワーク300によって用いられる変調方式および多元接続方式は、導入されている特定の電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA)およびTD-SCDMAなどのCDMAの他の変形態を用いるUniversal Terrestrial Radio Access(UTRA)、TDMAを用いるGlobal System for Mobile Communications(GSM（登録商標）)、ならびにOFDMAを用いるEvolved UTRA(E-UTRA)、Ultra Mobile Broadband(UMB)、IEEE 802.16(WiMAX)、IEEE 802.20、およびFlash-OFDMであり得る。UTRA、E-UTRA、UMTS、LTE、LTE Advanced、およびGSM（登録商標）は、3GPP団体による文書に記述されている。CDMA2000およびUMBは、3GPP2団体による文書に記述されている。実際の利用されるワイヤレス通信規格、多元接続技術は、具体的な用途およびシステムに課される全体的な設計制約に依存する。
【００７６】
無線プロトコルアーキテクチャは、具体的な用途に応じて様々な形態をとり得る。ここでHSPAシステムに関する一例を、図8を参照して提示する。図8は、ユーザプレーンおよび制御プレーンの無線プロトコルアーキテクチャの一例を示す概念図である。
【００７７】
図8を見ると、UEおよびノードBの無線プロトコルアーキテクチャは、層1、層2、および層3という3つの層で示される。層1は最下層であり、様々な物理層の信号処理機能を実装する。層1は、本明細書では物理層406と呼ばれる。層2(L2層)408は、物理層406の上にあり、物理層406を通じたUEとノードBとの間のリンクを担う。たとえば、図8の無線プロトコルアーキテクチャに対応するUEは、上述のようにUE12、ノードB14などとして動作するように特別にプログラムされるか、あるいは構成され得る。
【００７８】
ユーザプレーンでは、L2層408は、媒体アクセス制御(MAC)サブレイヤ410、無線リンク制御(RLC)サブレイヤ412、およびパケットデータコンバージェンスプロトコル(PDCP)サブレイヤ414を含み、これらはネットワーク側のノードBで終端する。示されないが、UEは、ネットワーク側のPDNゲートウェイで終端するネットワーク層(たとえばIP層)と、接続の他の端部(たとえば、遠端のUE、サーバなど)で終端するアプリケーション層とを含めて、L2層408より上にいくつかの上位層を有し得る。
【００７９】
PDCPサブレイヤ414は、異なる無線ベアラと論理チャネルとの間の多重化を行う。PDCPサブレイヤ414はまた、無線送信のオーバーヘッドを低減するための上位層データパケットのヘッダ圧縮、データパケットの暗号化によるセキュリティ、および、ノードB間のUEのハンドオーバのサポートを実現する。RLCサブレイヤ412は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ410は、論理チャネルとトランスポートチャネルとの間の多重化を行う。MACサブレイヤ410はまた、1つのセルの中の様々な無線リソース(たとえばリソースブロック)の複数のUEへの割り当てを担う。MACサブレイヤ410はまた、HARQ動作も担う。
【００８０】
図9は、UE550と通信しているノードB510を含むシステム500のブロック図である。たとえば、UE550は、上述のようにUE12(図1)として動作するように特別にプログラムされるか、あるいは構成され得、かつ/またはノードB510は、上述のようにノードB14(図1)として動作するように特別にプログラムされるか、あるいは構成され得る。さらに、たとえば、ノードB510は図6のノードB208であってよく、かつUE550は図6のUE210であってよい。ダウンリンク通信では、送信プロセッサ520は、データ源512からデータを受信し、コントローラ/プロセッサ540から制御信号を受信することができる。送信プロセッサ520は、参照信号(たとえばパイロット信号)とともに、データ信号および制御信号のための様々な信号処理機能を提供する。たとえば、送信プロセッサ520は、誤り検出のための巡回冗長検査(CRC)コード、順方向誤り訂正(FEC)を容易にするための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号コンステレーションへのマッピング、直交可変拡散率(OVSF)による拡散、および、一連のシンボルを生成するためのスクランブリングコードとの乗算を、提供することができる。送信プロセッサ520のための、符号化方式、変調方式、拡散方式および/またはスクランブリング方式を決定するために、チャネルプロセッサ544からのチャネル推定が、コントローラ/プロセッサ540によって使われ得る。これらのチャネル推定は、UE550によって送信される参照信号から、またはUE550からのフィードバックから、導出され得る。送信プロセッサ520によって生成されたシンボルは、フレーム構造を作成するために、送信フレームプロセッサ530に与えられる。送信フレームプロセッサ530は、コントローラ/プロセッサ540からの情報とシンボルとを多重化することによって、このフレーム構造を作成し、一連のフレームが得られる。次いでこれらフレームは送信機532に与えられ、送信機532は、アンテナ534を通じたワイヤレス媒体によるダウンリンク送信のために、増幅、フィルタリング、およびフレームのキャリア上への変調を含む、様々な信号調整機能を提供する。アンテナ534は、たとえば、ビームステアリング双方向適応アンテナアレイまたは他の同様のビーム技術を含む、1つまたは複数のアンテナを含み得る。
【００８１】
UE550において、受信機554は、アンテナ552を通じてダウンリンク送信を受信し、その送信を処理してキャリア上へ変調されている情報を回復する。受信機554によって回復された情報は、受信フレームプロセッサ560に与えられ、受信フレームプロセッサ560は、各フレームを解析し、フレームからの情報をチャネルプロセッサ594に提供し、データ信号、制御信号、および参照信号を受信プロセッサ570に提供する。受信プロセッサ570は次いで、ノードB510中の送信プロセッサ520によって実行される処理の逆を実行する。より具体的には、受信プロセッサ570は、シンボルを逆スクランブルおよび逆拡散し、次いで変調方式に基づいて、ノードB510によって送信された、最も可能性の高い信号配列点を求める。これらの軟判定は、チャネルプロセッサ594によって計算されるチャネル推定に基づき得る。そして軟判定は、データ信号、制御信号、および参照信号を回復するために、復号されてデインターリーブされる。そして、フレームの復号が成功したかどうか判定するために、CRCコードが確認される。次いで、復号に成功したフレームによって搬送されるデータがデータシンク572に与えられ、データシンク572は、UE550および/または様々なユーザインターフェース(たとえばディスプレイ)において実行されているアプリケーションを表す。復号に成功したフレームによって搬送される制御信号が、コントローラ/プロセッサ590に与えられる。受信プロセッサ570によるフレームの復号が失敗すると、コントローラ/プロセッサ590は、確認応答(ACK)プロトコルおよび/または否定応答(NACK)プロトコルを用いて、そうしたフレームの再送信要求をサポートすることもできる。
【００８２】
アップリンクでは、データ源578からのデータおよびコントローラ/プロセッサ590からの制御信号が、送信プロセッサ580に与えられる。データ源578は、UE550で実行されているアプリケーションおよび様々なユーザインターフェース(たとえばキーボード)を表し得る。ノードB510によるダウンリンク送信に関して説明される機能と同様に、送信プロセッサ580は、CRCコード、FECを容易にするための符号化およびインターリービング、信号配列へのマッピング、OVSFによる拡散、および、一連のシンボルを生成するためのスクランブリングを含む、様々な信号処理機能を提供する。ノードB510によって送信される参照信号から、または、ノードB510によって送信されるミッドアンブル中に含まれるフィードバックから、チャネルプロセッサ594によって導出されるチャネル推定が、適切な符号化方式、変調方式、拡散方式、および/またはスクランブリング方式を選択するために、使われ得る。送信プロセッサ580によって生成されたシンボルは、フレーム構造を作成するために、送信フレームプロセッサ582に与えられる。送信フレームプロセッサ582は、コントローラ/プロセッサ590からの情報とシンボルとを多重化することによって、このフレーム構造を作成し、一連のフレームが得られる。次いでこのフレームは送信機556に与えられ、送信機556は、アンテナ552を通じたワイヤレス媒体によるアップリンク送信のために、増幅、フィルタリング、およびフレームのキャリア上への変調を含む、様々な信号調整機能を提供する。
【００８３】
アップリンク送信は、UE550において受信機能に関して説明された方式と同様の方式で、ノードB510において処理される。受信機535は、アンテナ534を通じてアップリンク送信を受信し、その送信を処理してキャリア上へ変調されている情報を回復する。受信機535によって回復された情報は、受信フレームプロセッサ536に与えられ、受信フレームプロセッサ536は、各フレームを解析し、フレームからの情報をチャネルプロセッサ544に提供し、データ信号、制御信号、および参照信号を受信プロセッサ538に提供する。受信プロセッサ538は、UE550中の送信プロセッサ580によって実行される処理の逆を実行する。次いで、復号に成功したフレームによって搬送されるデータ信号および制御信号が、データシンク539およびコントローラ/プロセッサにそれぞれ与えられ得る。フレームの一部が、受信プロセッサによる復号に失敗すると、コントローラ/プロセッサ540は、確認応答(ACK)プロトコルおよび/または否定応答(NACK)プロトコルを用いて、そうしたフレームの再送信要求をサポートすることもできる。
【００８４】
コントローラ/プロセッサ540および590は、それぞれノードB510およびUE550における動作を指示するために使用され得る。たとえば、コントローラ/プロセッサ540および590は、タイミング、周辺インターフェース、電圧調整、電力管理、および他の制御機能を含む、様々な機能を提供することができる。いくつかの態様では、コントローラ/プロセッサ540および590は、図5に示す処理システム114によって、プロセッサ104として実装され得る。上述のように、プロセッサ104は、他の構成要素とともに、UE12の構成要素18、20および22の機能ならびに/またはノードB14の構成要素24、26および28の機能を実施するように構成され得る。メモリ542および592のコンピュータ可読記録媒体は、それぞれ、ノードB510およびUE550のためのデータおよびソフトウェアを記憶することができる。ノードB510におけるスケジューラ/プロセッサ546は、リソースをUEに割り当て、UEのダウンリンク送信および/またはアップリンク送信をスケジュールするために、使われ得る。
【００８５】
W-CDMAシステムを参照して、電気通信システムのいくつかの態様を示してきた。当業者が容易に諒解するように、本開示全体にわたって説明される様々な態様は、他の電気通信システム、ネットワークアーキテクチャおよび通信規格に拡張され得る。
【００８６】
例として、様々な態様は、他のUMTS、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、(FDD、TDD、またはこれらの両方のモードの)Long Term Evolution(LTE)、(FDD、TDD、またはこれら両方のモードの)LTE-Advanced(LTE-A)、CDMA2000、Evolution-Data Optimized(EV-DO)、Ultra Mobile Broadband(UMB)、IEEE802.16(WiMAX)、IEEE802.20、Ultra-Wideband(UWB)、Bluetooth（登録商標）、および/または他の適切なシステムを利用する、システムに拡張され得る。実際の利用される電気通信規格、ネットワークアーキテクチャ、および/または通信規格は、具体的な用途およびシステムに課される全体的な設計制約に依存する。
【００８７】
本開示の様々な態様によれば、要素または要素の一部分または要素の組合せを、たとえば図5に示すように1つまたは複数のプロセッサを含む「処理システム」で実装できる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、あるいは他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読記録媒体上に存在し得る。コンピュータ可読記録媒体は、非一時的コンピュータ可読記録媒体であってよい。非一時的コンピュータ可読記録媒体は、例として、磁気記憶デバイス(たとえば、ハードディスク、フロッピー（登録商標）ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。また、コンピュータ可読記録媒体は、例として、搬送波、伝送路、ならびに、コンピュータがアクセスし読み取ることができるソフトウェアおよび/または命令を送信するための任意の他の適切な媒体も含み得る。コンピ
ュータ可読記録媒体は、処理システムの中に存在してもよく、処理システムの外に存在してもよく、または処理システムを含む複数のエンティティに分散してもよい。コンピュータ可読記録媒体は、コンピュータプログラム製品で具現化され得る。例として、コンピュータプログラム製品は、パッケージング材料内のコンピュータ可読記録媒体を含み得る。当業者は、具体的な用途およびシステム全体に課される全体的な設計制約に応じて、本開示全体にわたって示される説明する機能を最善の形で実装する方法を認識するだろう。
【００８８】
開示した方法におけるステップの特定の順序または階層は例示的な処理を示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００８９】
上記の説明は、本明細書で説明される様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。
【００９０】
さらに、別段に明記されていない限り、「いくつかの」という用語は「1つまたは複数の」を意味する。項目の列挙「のうちの少なくとも1つ」という語句は、単一の要素を含め、それらの項目の任意の組合せを指す。たとえば、「a、bまたはcのうちの少なくとも1つ」は、「a」、「b」、「c」、「aおよびb」、「aおよびc」、「bおよびc」、「a、bおよびc」をカバーするよう意図されている。当業者が知っているか、または後に知ることになる、本開示全体にわたって説明した様々な態様の要素と構造的かつ機能的に同等のものはすべて、参照により本明細書に明確に組み込まれ、請求項が包含するように意図されている。また、本明細書で開示する内容は、そのような開示が請求項で明記されているか否かにかかわりなく、公用のものとなるように意図されてはいない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００９１】
10  ワイヤレス通信システム、システム
12  ユーザ機器(UE)
14  ノードB
16  RNC
18  スケジューリング許可受信構成要素
20  E-TFC選択構成要素、選択構成要素
22  通信構成要素
24  スケジューリング構成要素
26  制御チャネル復号構成要素
28  パケット識別子指示構成要素
30  パケット識別子受信構成要素
32  電力制御構成要素
100  装置
102  バス
104  プロセッサ
106  コンピュータ可読記録媒体
108  バスインターフェース
110  トランシーバ
112  ユーザインターフェース
114  処理システム
200  UMTSシステム
202  UMTS Terrestrial Radio Access Network(UTRAN)
204  コアネットワーク(CN)
206  RNC、無線ネットワークコントローラ
207  RNS
208  ノードB
210  ユーザ機器(UE)
211  汎用加入者識別モジュール(USIM)
212  MSC
214  GMSC
215  ホームロケーションレジスタ(HLR)
216  回線交換ネットワーク
218  サービングGPRSサポートノード(SGSN)
220  ゲートウェイGPRSサポートノード(GGSN)
222  パケットベースネットワーク
300  アクセスネットワーク
406  物理層
408  層2(L2層)
410  媒体アクセス制御(MAC)サブレイヤ
412  無線リンク制御(RLC)サブレイヤ
414  パケットデータコンバージェンスプロトコル(PDCP)サブレイヤ
500  システム
510  ノードB
512  データ源
520  送信プロセッサ
530  送信フレームプロセッサ
532  送信機
534  アンテナ
535  受信機
536  受信フレームプロセッサ
538  受信プロセッサ
539  データシンク
540  コントローラ/プロセッサ
542  メモリ
544  チャネルプロセッサ
546  スケジューラ/プロセッサ
550  UE
552  アンテナ
554  受信機
556  送信機
560  受信フレームプロセッサ
570  受信プロセッサ
572  データシンク
578  データ源
580  送信プロセッサ
582  送信フレームプロセッサ
590  コントローラ/プロセッサ
592  メモリ
594  チャネルプロセッサ
【図１】
0006270743.tif 000002
【図２】
0006270743.tif 000003
【図３】
0006270743.tif 000004
【図４】
0006270743.tif 000005
【図５】
0006270743.tif 000006
【図６】
0006270743.tif 000007
【図７】
0006270743.tif 000008
【図８】
0006270743.tif 000009
【図９】
0006270743.tif 000010